(57)【特許請求の範囲】
【請求項１】
ベースマシーンのアーム先端部にハウジングを着脱自在に取り付け、該ハウジングに回転駆動手段および回転伝動手段を設けると共に、該回転伝動手段を介して回転駆動される回転軸を上記ハウジングの下部の左右に延出せしめると共に、該回転軸に回転筒体を着脱自在に取り付け、該回転筒体の外周面に撹拌ロッドを取り外し可能に固定して成る混合撹拌装置において、上記撹拌ロッドを回転方向に向けた断面矢尻形に形成したことを特徴とする撹拌ロッド。
【発明の詳細な説明】
【０００１】
【発明の属する技術分野】
本発明は、混合撹拌装置における混合撹拌ロッドに関する。
【０００２】
【従来の技術】
従来、例えば図４に示すように、油圧モーター等の回転駆動装置Ｍの回転出力をチェーンＣを介して水平回転軸Ｓに伝え、該水平回転軸Ｓに着脱可能に取り付けた回転筒体Ｒを回転駆動して、該回転筒体Ｒの外周面の幅方向に且つ放射状に植設された複数の撹拌ロッドＴにより地盤を撹拌しながら固化材等の土壌改良材を混合して、地盤を改良する混合撹拌装置があった。
【０００３】
上記種類の混合撹拌装置は、各種泥土や軟弱地盤・盛土等の土質の改良のために用いているが、深度１ｍ以上での撹拌作業を行う場合や地盤中に石や地中根などの異物が混在している場合があり、その混合撹拌に関する環境条件は様々である。
【０００４】
【発明が解決しようとする課題】
しかしながら、従来の撹拌ロッドＴは単なる角棒状のものを使用しているだけで、その結果、土質によっては作業効率が悪かったり均質な混合ができないだけでなく、撹拌ロッドＴが損傷し易く、度々その交換を余儀なくさせられる等の問題点があった。
【０００５】
本発明は、上記従来の問題点を解決するためになされたもので、その目的とするところは、撹拌する土質の性状に応じて最も効率良くしかも均質に混合作業を行うことができ、丈夫で長持ちする混合撹拌装置における撹拌ロッドを提供することにある。
【０００６】
【課題を解決するための手段】
本発明の混合撹拌装置における撹拌ロッドは、ベースマシーンのアーム先端部にハウジングを着脱自在に取り付け、該ハウジングに回転駆動手段および回転伝動手段を設けると共に、該回転伝動手段を介して回転駆動される回転軸を上記ハウジングの下部の左右に延出せしめると共に、該回転軸に回転筒体を着脱自在に取り付け、該回転筒体の外周面に撹拌ロッドを取り外し可能に固定して成る混合撹拌装置において、上記撹拌ロッドを回転方向に向けた断面矢尻形に形成したことを特徴とする。
【０００７】
【発明の実施の形態】
以下、本発明の実施の形態について、図面を参照しながら説明する。
図１および図２において、１は混合撹拌装置のハウジングであって、その内部には、内部に３つの歯車、すなわち駆動歯車２、中間歯車３および従動歯車４から成る歯車列の回転伝動手段が納められている。上記ハウジング１の上端部には、バックホウなどのベースマシーン（図示せず）のアーム先端部に、本装置を着脱自在に取り付けるためのブラケット５が一体的に設けられている。尚、ベースマシーンとしては、上記バックホウに限定するものではなく、従来公知の車輪式または履帯式（クローラ型、履帯型）のいずれの移動作業装置でもよく、また、取り付け手段としては、上記ブラケット５に限定するものではない。
【０００８】
６は油圧モーターであって、その回転出力軸６ａには上記駆動歯車２が取り付けられている。なお、本発明に於いて、回転駆動手段としては上記油圧モーター６が好ましいが、これに限定するものではなく、例えば、電動モーターや内燃機関（エンジン）等であってもよく、上記ハウジング１内に納めてもよい。また、上記回転伝動手段も上記歯車列に限定するものではなく、チェーン等であってもよい。
【０００９】
一方、上記従動歯車４には水平回転軸７が取り付けられていて、該水平回転軸７は上記ハウジング１の下方の左右に延出している。左右に延出した水平回転軸７には、それぞれ回転筒体８が着脱自在に取り付けられている。
【００１０】
上記回転筒体８の外周面には、多数の撹拌ロッド９が着脱自在に取り付け固定されている。これらの撹拌ロッド９は、上記回転筒体８の外周面の全放射方向にバランスを保つように配向される（図１（Ｂ）参照）と共に、回転筒体８の幅方向（水平回転軸７の軸方向）にも複数本（本実施例では３本）配列されていて、内側の撹拌ロッド９の先端部は内側に、外側の撹拌ロッド９の先端部は外側に、それぞれ傾斜するように取り付け固定されている（図１（Ａ）参照）。
【００１１】
図３は本発明の撹拌ロッドの各実施例を示す。図３（Ａ）は、先端が回転方向（矢印）に鋤状に突出した突出部９ａを有する撹拌ロッド９を示すもので、この突出部９ａの掘削作用により硬い地盤でも効果的に混合撹拌を行うことができる。なお、上記突出部９ａは図示のように鋤状に形成するのが好ましいが、これに限定するものではなく、先端部が回転方向に突出して地盤を掘削できる形状であればいずれでもよい。
【００１２】
図３（Ｂ）は、先端面が前後（回転方向）および左右に斜めにカットされた傾斜面９ｂを有する撹拌ロッド９を示すもので、この傾斜面９ｂにより掘削抵抗を軽減し、硬質の地盤でも能率よく混合撹拌を行うことができる。なお、上記傾斜面９ｂは曲面状に形成してもよく、要するに、撹拌抵抗を軽減するように形成された傾斜面であればよい。
【００１３】
図３（Ｃ）は、回転方向（矢印）の先端部側面に突出片９ｃを有する撹拌ロッド９を示すもので、この突出片９ｃにより前方の硬い土塊や石などを砕いたり跳ね除けることができ、硬い土塊や石の多い地盤でも能率よく混合撹拌を行うことができる。なお、上記突出片９ｃは図示のように四角柱状に突出した形状に限定するものではなく、円柱状や先端が細くなった錐形状など破砕作用を生じる形状であればいずれでもよい。
【００１４】
図３（Ｄ）は、一方回転側に尖っていて反対側に二枚に分かれた断面矢尻形９ｄの撹拌ロッド９を示すもので、尖った側に回転させた場合には、切削能力が高く、二枚に分かれた側に回転させた場合には、撹拌能力が高い特徴を有する。なお、上記尖った先端部分は丸みを有したものでもよく、また、二枚に分かれた側の内部は、図示のように大きく食い込ませた形状から、食い込み状態を浅くしたり、或いは、食い込み部分を完全に無くした中実状（断面三角形）に形成してもよい。
【００１５】
上記突出部９ａや傾斜面９ｂや突出片９ｃは、撹拌ロッド９が一方向にのみ回転する場合には、片側にのみ設けてもよい。また、両方向に回転させる場合には、上記突出部９ａや傾斜面９ｂや突出片９ｃを、適当に組み合わせてもよい。さらに、本発明において、上記撹拌ロッド９を、上記回転筒体８の外周面へ着脱自在に取り付ける構造や方法は、特に限定するものではない。
【００１６】
１０は粉粒体や液体など流体状の土壌改質材を輸送するための輸送管、１１は上記ハウジング１の下端部に設けられた噴射ノズルであって、上記輸送管１０から供給される土壌改質材を土壌中に噴射するようになっている。土壌中に噴射された土壌改質材は、上記撹拌ロッド９により均質に混合撹拌される。
【００１７】
【発明の効果】
撹拌ロッドを回転方向に向けた断面矢尻形に形成したので、切削能力と撹拌能力の高めて作業効率および作業精度を向上せしめることができる。
【図面の簡単な説明】
【図１】本発明の混合撹拌装置の一実施例を示す正面図（Ａ）およびその側面図（Ｂ）である。
【図２】図１の実施例の断面図（Ａ）および（Ｂ）である。
【図３】本発明の混合撹拌装置の撹拌ロッドの各実施例（Ａ）〜（Ｄ）を示す斜視図である。
【図４】従来の混合撹拌装置を示す側面図（Ａ）および断面図（Ｂ）である。
【符号の説明】
１  ハウジング
２  駆動歯車
３  中間歯車
４  従動歯車
５  ブラケット
６  油圧モーター
６ａ  回転駆動軸
７  水平回転軸
８  回転筒体
９  撹拌ロッド
９ａ  突出部
９ｂ  傾斜面
９ｃ  突出片
９ｄ  断面矢尻形
１０  輸送管
１１  噴射ノズル
【図１】
0004644848.tif 000002
0004644848.tif 000003
【図２】
0004644848.tif 000004
0004644848.tif 000005
【図３】
0004644848.tif 000006
【図４】
0004644848.tif 000007
0004644848.tif 000008